(57)【要約】【課題】メンテナンス性の向上を図ることができるマッサージ機を提供する。【解決手段】施療子２１には、マッサージ機構のアーム２２と接続されるとともにＰＴＣヒータ３０を収容して使用者にＰＴＣヒータ３０からの熱を伝達可能な第１及び第２ケース部材３１，３２と、この第２ケース部材３２に設けられる揉み玉２４とが備えられる。第１ケース部材３１は、アーム２２に対して着脱可能に設けられる。また、揉み玉２４は第２ケース部材３２に対して着脱可能に設けられる。【選択図】図３
2011062449.tif 000002
【特許請求の範囲】
【請求項１】
使用者が着座可能な座部と、該座部の後部に設けられる背もたれ部とを有し、
前記背もたれ部内に施療子を備えるマッサージ機構を設け、該マッサージ機構により前記使用者の身体をマッサージするマッサージ機であって、
前記施療子は、前記マッサージ機構のアームと接続されるとともに熱源を収容して前記使用者に前記熱源からの熱を伝達可能な熱伝達手段と、該熱伝達手段に設けられる揉み玉とを備え、
前記熱伝達手段は、前記アームに対して着脱可能に設けられたことを特徴とするマッサージ機。
【請求項２】
請求項１に記載のマッサージ機において、
前記揉み玉は、前記熱伝達手段に対して着脱可能に設けられたことを特徴とするマッサージ機。
【請求項３】
請求項２に記載のマッサージ機において、
前記施療子は、前記背もたれ部の幅方向に一対並設され、前記揉み玉は、前記背もたれ部の幅方向内側から前記熱伝達手段に対して着脱自在な固定部材が前記熱伝達手段に接続されて固定されるものであり、
前記固定部材は、前記熱伝達手段からの熱を前記使用者に伝達可能に構成されたことを特徴とするマッサージ機。
【請求項４】
請求項３に記載のマッサージ機において、
前記固定部材は、前記揉み玉の外径よりも小さくなるよう構成されたことを特徴とするマッサージ機。
【請求項５】
請求項３又は４に記載のマッサージ機において、
前記固定部材は、前記揉み玉よりも幅方向内側に突出するように構成されたことを特徴とするマッサージ機。
【請求項６】
請求項１〜５のいずれか一項に記載のマッサージ機において、
前記熱伝達手段は、前記使用者との対向部位が前記使用者側に凸の湾曲形状となるよう構成されたことを特徴とするマッサージ機。
【請求項７】
請求項１〜６のいずれか一項に記載のマッサージ機において、
前記熱源は、該熱源に対し電力供給可能な電力供給線が接続されるものであり、
前記電力供給線は、コネクタにて中継されて前記熱源と接続されたことを特徴とするマッサージ機。
【発明の詳細な説明】
【技術分野】
【０００１】
本発明は、背もたれ部にマッサージ機構が組み込まれたマッサージ機に関するものである。
【背景技術】
【０００２】
従来、例えば背もたれ部に揉み玉を有するマッサージ機構を組み込んだ椅子型のマッサージ機は、背中のつぼや経絡に揉み玉を当てて所定の動作をさせ、血行を促進させることで肩や背中の凝りを解消させるものであって、従来より提案されており、このようなマッサージ機は一般家庭・公的施設等にも多く普及している。
【０００３】
また、近年のマッサージ機では、人が施すマッサージにより近づけるために、マッサージ機構に熱源を収容する熱伝達手段を設け、揉み玉の押圧動作によるマッサージに加えて人の温もりを付与するものが開発されている（例えば特許文献１参照）。
【先行技術文献】
【特許文献】
【０００４】
【特許文献１】特開２００８−２８４３３８号公報
【発明の概要】
【発明が解決しようとする課題】
【０００５】
ところで、上記のようなマッサージ機では、熱伝達手段を備えていないマッサージ機と比較して熱源や熱伝達手段等の部品が増えることから、交換・修理等が必要となる部品が増えるため、メンテナンス性の向上が望まれている。
【０００６】
本発明は、上記課題を解決するためになされたものであって、その目的は、メンテナンス性の向上を図ることができるマッサージ機を提供することにある。
【課題を解決するための手段】
【０００７】
上記課題を解決するために、請求項１に記載の発明は、使用者が着座可能な座部と、該座部の後部に設けられる背もたれ部とを有し、前記背もたれ部内に施療子を備えるマッサージ機構を設け、該マッサージ機構により前記使用者の身体をマッサージするマッサージ機であって、前記施療子は、前記マッサージ機構のアームと接続されるとともに熱源を収容して前記使用者に前記熱源からの熱を伝達可能な熱伝達手段と、該熱伝達手段に設けられる揉み玉とを備え、前記熱伝達手段は、前記アームに対して着脱可能に設けられたことをその要旨とする。
【０００８】
この発明では、施療子には、マッサージ機構のアームと接続されるとともに熱源を収容して使用者に熱源からの熱を伝達可能な熱伝達手段と、この熱伝達手段に設けられる揉み玉とが備えられる。熱伝達手段は、アームに対して着脱可能に設けられるため、熱伝達手段や熱伝達手段に設けられる揉み玉を容易に交換することができ、メンテナンス性の向上を図ることができる。
【０００９】
請求項２に記載の発明は、請求項１に記載のマッサージ機において、前記揉み玉は、前記熱伝達手段に対して着脱可能に設けられたことをその要旨とする。
この発明では、揉み玉が熱伝達手段に対して着脱可能に設けられるため、揉み玉のみの交換が可能となるため、よりメンテナンス性の向上を図ることができる。
【００１０】
請求項３に記載の発明は、請求項２に記載のマッサージ機において、請求項２に記載のマッサージ機において、前記施療子は、前記背もたれ部の幅方向に一対並設され、前記揉み玉は、前記背もたれ部の幅方向内側から前記熱伝達手段に対して着脱自在な固定部材が前記熱伝達手段に接続されて固定されるものであり、前記固定部材は、前記熱伝達手段からの熱を前記使用者に伝達可能に構成されたことをその要旨とする。
【００１１】
この発明では、施療子は、背もたれ部の幅方向に一対並設される。揉み玉は、背もたれ部の幅方向内側から熱伝達手段に対して着脱自在な固定部材がその熱伝達手段に接続されて固定される。固定部材は、熱伝達手段からの熱を使用者に伝達可能に構成される。このように、揉み玉を幅方向内側から熱伝達手段に対して着脱自在に接続する固定部材にて、熱伝達手段からの熱を使用者に対して伝達することで、使用者の身体のより広い範囲に熱を伝達することが可能となる。ここで、一対の揉み玉にて使用者の首等を挟むようにしてマッサージを行う場合には、揉み玉の幅方向内側の部位で挟むこととなる。このため、使用者の首のマッサージと同時に幅方向内側に設けられる固定部材にて、使用者の首に対しても熱を伝達させることができる。また、揉み玉よりも幅方向外側に熱源を収容する熱伝達手段を設けることで、使用者の首等の身体を揉み玉にて挟むようなマッサージを行う場合に、その固定部材と比較して大きな熱伝達手段が使用者の身体に直接又は間接的に当接して揉み玉とは異なる感触（違和感）を与えるといったことが抑えられる。
【００１２】
請求項４に記載の発明は、請求項３に記載のマッサージ機において、前記固定部材は、前記揉み玉の外径よりも小さくなるよう構成されたことをその要旨とする。
この発明では、固定部材が揉み玉の外径よりも小さく構成されることで、使用者の首等を挟むようにしてマッサージを行う場合に、固定部材がその部位に当たることを極力抑え、揉み玉によるマッサージ効果を維持することが可能となる。
【００１３】
請求項５に記載の発明は、請求項３又は４に記載のマッサージ機において、前記固定部材は、前記揉み玉よりも幅方向内側に突出するように構成されたことをその要旨とする。
この発明では、固定部材は、揉み玉よりも幅方向内側に突出するように構成されるため、例えば幅方向に設けられる一対の揉み玉により、使用者の首等を挟んでマッサージをする際に、固定部材により使用者に熱を伝達することができる。
【００１４】
請求項６に記載の発明は、請求項１〜５のいずれか一項に記載のマッサージ機において、前記熱伝達手段は、前記使用者との対向部位が湾曲形状となるよう構成されたことをその要旨とする。
【００１５】
この発明では、熱伝達手段は、使用者との対向部位が湾曲形状となるよう構成されるため、使用者の身体に対して違和感を与えることが抑えられる。また、例えばマッサージ機構と使用者の身体との間に設けられるカバー部材と、熱伝達手段が摺接する際に、その摩擦力を抑えることができる。
【００１６】
請求項７に記載の発明は、請求項１〜６のいずれか一項に記載のマッサージ機において、前記熱源は、該熱源に対し電力供給可能な電力供給線が接続されるものであり、前記電力供給線は、コネクタにて中継されて前記熱源と接続されたことをその要旨とする。
【００１７】
この発明では、電力供給線がコネクタにて中継されるため、コネクタを中心として電力供給線を２種類の部材で構成することができる。そのため、熱源側に近い電力供給線をアームに固定させることでアームや揉み玉を動作させても熱源側の電力供給線が屈曲することが抑えられるため、比較的安価な電線を用いることができる。また、例えば、コネクタを中心として熱源側に近い電力供給線のみが断線した場合には、その電力供給線を交換するだけでよく、コネクタを中心として熱源側から遠い電力供給線のみが断線した場合には、その電力供給線を交換するだけでよいため、この点からもメンテナンス性の向上を図ることができる。
【発明の効果】
【００１８】
本発明によれば、メンテナンス性の向上を図ることができるマッサージ機を提供することができる。
【図面の簡単な説明】
【００１９】
【図１】本実施形態におけるマッサージ機の概略構成図。
【図２】施療子の正面図。
【図３】施療子の分解斜視図。
【図４】施療子の断面図。
【図５】温度制御について説明するためのブロック図。
【図６】温度制御について説明するためのグラフ。
【図７】（ａ）（ｂ）は、首周辺の施療動作について説明するための説明図。
【図８】（ａ）（ｂ）は、背中周辺の施療動作について説明するための説明図。
【発明を実施するための形態】
【００２０】
以下、本発明を具体化した一実施形態を図面に従って説明する。
図１は、本実施形態のエアマッサージ機を備えたマッサージ機の概略構成を示す。図１に示すように、マッサージ機１０の脚部１１は図示しない床面に載置されるとともに、その脚部１１の上部には使用者が着座可能な座部１２が固定されている。その座部１２の後部には、使用者が背中をもたれ掛けさせるための背もたれ部１３が傾動可能に設けられるとともに、座部１２の前部には使用者の脚を載せることができるオットマン１４が傾動可能に設けられている。また、使用者の腕を置くための肘掛け部１５が背もたれ部１３から座部１２の両側前方にかけて設けられている。
【００２１】
背もたれ部１３は、背もたれ部本体１３ａと、この背もたれ部本体１３ａの前面を覆うカバー部１３ｂとで構成される。背もたれ部本体１３ａは、前面が開口された硬質樹脂材料からなる図示しない本体ケース内に、背もたれ部１３の上下方向に沿って図示しないガイドレールが設けられ、このガイドレールに沿って上下方向に移動可能にマッサージ機構２０が組み付けられている。このマッサージ機構２０には、図示しない各種駆動モータが備えられており、これら各種駆動モータの駆動によってマッサージ機構２０の上下動や、このマッサージ機構２０に備えられる一対の施療子２１による所定の施療動作が行われるようになっている。
【００２２】
図２に示すように、一対の施療子２１は、一対のアーム２２（１つのみ図示）と、アーム２２のそれぞれに設けられるヒータユニット２３と、ヒータユニット２３に接続される揉み玉２４と、この揉み玉２４をヒータユニット２３とで挟持する固定部材２５とを有している。尚、この固定部材２５は熱伝導性の高いアルミニウムにて構成されている。
【００２３】
図３及び図４に示すように、各ヒータユニット２３は、ＰＴＣヒータ３０が第１ケース部材３１及び第２ケース部材３２に挟持されて構成され、一対のアーム２２の幅方向内側に設けられている。尚、各ケース部材３１，３２は、熱伝導性及び剛性の高い材質としてアルミニウムを採用している。
【００２４】
幅方向外側の第１ケース部材３１は、アーム２２にねじ３３ａ，３３ｂにて固定されている。具体的には、幅方向に貫通するアーム２２の大径貫通孔２２ａに第１ケース部材３１の幅方向外側の外表面から更に幅方向外側に突出する突出部３１ａが内挿されるとともに、幅方向に貫通するアーム２２の小径貫通孔２２ｂと第１ケース部材３１の外表面に形成される図示しないねじ孔とが幅方向に重なる態様で、突出部３１ａに形成されるねじ孔３１ｂ及び小径貫通孔２２ｂに対応したねじ孔にねじ３３ａ，３３ｂが螺合されてアーム２２に第１ケース部材３１が固定される。
【００２５】
また第１ケース部材３１の幅方向内側の内表面は、図３及び図４に示すように、ＰＴＣヒータ３０との対応位置の当接部３１ｃが幅方向内側に突出するように形成されている。また、第１ケース部材３１の幅方向内側の内表面には、幅方向内側に突出する突出部３１ｄが計３つ備えられている。
【００２６】
ＰＴＣヒータ３０は、図５に示すようにＰＴＣヒータ３０への印加電流を制御する制御部４０と電気的に接続されている。図３に示すように、ＰＴＣヒータ３０には、電力供給用の電力供給線３５が接続されており、この電力供給線３５は固定部材３６にてＰＴＣヒータ３０との位置関係が変化しないアーム２２に固定されている。また、電力供給線３５は、コネクタ３７を介して前記電力供給線３５とは異なる電力供給線３８と接続され、この電力供給線３８が例えば制御部４０に接続され、この制御部４０にてＰＴＣヒータ３０への印加電流を制御して温度を調整するように構成されている。
【００２７】
第２ケース部材３２は、幅方向外側の内表面の前記ＰＴＣヒータ３０との対応位置に、高熱伝導率且つ弾性を有するシリコン系のゴムパッド４１が設けられている。そして、第２ケース部材３２には、第１ケース部材３１の突出部３１ｄに形成されるねじ孔に対応する計３つの貫通孔３２ａが形成されており、各貫通孔３２ａを挿通させて第１ケース部材３１のねじ孔にねじ３２ｂを螺合させて第１ケース部材３１に第２ケース部材３２が取り付けられている。これにより、図４に示すように第１ケース部材３１の当接部３１ｃ及び第２ケース部材３２のゴムパッド４１にて、ＰＴＣヒータ３０が挟持される。この時、ゴムパッド４１挟持した際に圧力に応じて弾性変形するように構成されている。つまり、ＰＴＣヒータ３０は第２ケース部材３２に圧接されており、効率よく第２ケース部材３２側に熱を伝達可能に構成されている。
【００２８】
第２ケース部材３２は、使用者の身体をカバー部１３ｂを介して当接する当接部３２ｄが使用者側に凸となるように湾曲形状に形成されている。また、この当接部３２ｄは、第１ケース部材３１の略厚み（幅方向長さ）程度、幅方向外側に延出するように形成されており、第２ケース部材３２側にＰＴＣヒータ３０の熱を集約させ、当接部３２ｄ以外への熱の拡散を極力抑えた設計がなされている。尚、第１ケース部材３１及び第２ケース部材３２は当接部３２ｄ以外の部分が極力ＰＴＣヒータ３０の形状に倣った形状とすることが望ましい。
【００２９】
また、第２ケース部材３２の幅方向内側には、温度センサ４２がねじ３２ｅにて固定され、この温度センサ４２は、図５に示すように前記制御部４０に電気的に接続されている。このため、ＰＴＣヒータ３０の熱がヒータユニット２３の外殻である第２ケース部材３２に伝達され、その熱の温度を温度センサ４２にて監視することができるようになっている。
【００３０】
第２ケース部材３２には、幅方向内側に突出する延出部３２ｆが形成されており、その延出方向先端には略四角形状の係合凸部３２ｇが形成されている。第２ケース部材３２の延出部３２ｆには、略円筒状の固定部材２５の円筒部２５ａが外嵌されており、延出部３２ｆに形成されているねじ孔３２ｈにねじ４６が螺合されて固定部材２５の抜け止めがなされている。
【００３１】
円筒部２５ａの内側面における軸方向端部側は、第２ケース部材３２の外表面から幅方向内側に突出する延出部３２ｆの係合凸部３２ｇが係合する略四角形状の係合孔２５ｃが形成されている。そして、この係合凸部３２ｇと係合孔２５ｃとが回転方向で係合するため、固定部材２５の回り止めがなされている。
【００３２】
また、固定部材２５を構成する円筒部２５ａの外周面には２つの軸受２４ａ，２４ｂにて回転可能に支持される１つの弾性部材から構成される揉み玉２４が設けられている。この時、この円筒部２５ａの軸方向端部側において外径が拡径される拡径部２５ｂが揉み玉２４よりも幅方向内側に突出するように構成されており、この拡径部２５ｂにて揉み玉２４の幅方向（軸方向）への抜け止めがなされている。また、前述したように本実施形態の揉み玉２４は１つの部材で構成されるため、従来のように複数の部材で構成した分割タイプの揉み玉と比較して、揉み玉としての剛性を高くすることができる。また、揉み玉２４は、第２ケース部材３２の延出部３２ｆの軸中心から同ケース部材３２の当接部３２ｄまでの距離より僅かに（３ｍｍ程度）大きい半径となるように構成されている。このため、揉み玉２４が使用者の身体とカバー部１３ｂを介して当接する際に、揉み玉２４が接触圧によって変形し、剛体で構成される第２ケース部材３２の当接部３２ｄが使用者に対して軽接触し、極力熱のみを好適に伝達させる構成となっている。尚、軸受２４ａ，２４ｂは断熱性を有する材料にて構成されているため、弾性部材から構成される揉み玉２４への熱の伝達が抑制されている。
【００３３】
次に、ヒータユニット２３の温度制御及びそれと並行動作される揉み玉による施療動作について図５〜図８を用いて説明する。
制御部４０は、図示しない電源スイッチがオン状態に動作され、例えば温熱施療を含むマッサージコースが操作器にて選択されると、マッサージ機構２０の前記モータを駆動させるとともに、最大出力温度ＴｍａｘのＰＴＣヒータ３０に所定の電流Ａ１を印加する。そして、制御部４０は、温度センサ４２にてＰＴＣヒータ３０の熱が伝達させる第２ケース部材３２の温度を監視し、その温度が上限温度Ｔ１を超えると、電流Ａ１よりも電流値の小さい所定の電流Ａ２をＰＴＣヒータ３０に印加する。そして、制御部４０は、ＰＴＣヒータ３０及び熱伝達手段としての第１及び第２ケース部材３１，３２で構成されるヒータユニット２３が上限温度Ｔ１及び下限温度Ｔ２の範囲内に収まるように温度制御するようになっている。これと並行して、例えば首を中心とした揉み玉２４による施療を行う場合、制御部４０は、図７（ａ）（ｂ）に示すように、マッサージ機構２０のモータを制御して使用者の首の位置までマッサージ機構２０を移動させ、モータにてアームを幅方向に動作させて一対の揉み玉２４による挟み動作を行い、使用者の首の施療を行う。この時、揉み玉２４よりも幅方向内側に突出する固定部材２５が使用者の首とカバー部１３ｂを介して当接し、首に対してＰＴＣヒータ３０からの熱を伝達することができるようになっている。
【００３４】
また、前述のヒータユニット２３の温度制御と並行して、使用者の背中を中心として揉み玉２４による施療を行う場合、制御部４０は、図８（ａ）（ｂ）に示すように、マッサージ機構２０のモータを制御して使用者の背中の位置までマッサージ機構２０を移動させ、モータにてアームを上下・左右（幅方向）・前後に動作させて一対の揉み玉２４による押圧動作等を行い、使用者の背中の施療を行う。このとき、揉み玉２４が弾性変形することで熱伝達手段としてのヒータユニット２３（図２及び図３に示す第２ケース部材３２の当接部３２ｄ）が使用者の背中とカバー部１３ｂを介して当接し、使用者の背中に対してＰＴＣヒータ３０からの熱を伝達することができるようになっている。
【００３５】
上述したように、熱伝達手段としてのヒータユニット２３及び固定部材２５で使用者の身体に熱を伝達することができるため、従来のマッサージ機と比較して使用者に熱を付与する範囲が広がり、熱源としてのＰＴＣヒータ３０からの熱を好適に伝達させることができるようになっている。また、固定部材２５は揉み玉２４よりも幅方向内側に突出しているため、使用者の首等を挟んでマッサージする際に、この固定部材２５が使用者とカバー部１３ｂを介して接触するため、ＰＴＣヒータ３０からの熱をより好適に伝達させることができるようになっている。また、アーム２２には電力供給線３５が固定されているため、マッサージ機構２０及びその施療子２１（アーム２２）をモータで動作させる際に、マッサージ機構２０及び施療子２１に電力供給線３５が絡まったりすることが抑えられている。
【００３６】
また、熱伝達手段を構成する第１ケース部材３１が２つのねじ３３ａ，３３ｂにて設けられているため、ねじ３３ａ，３３ｂを取り外すことで第１ケース部材３１を含むヒータユニット２３及び揉み玉２４を取り外すことができ、それらを容易に交換することができるようになっている。また、固定部材２５がねじ４６にて第２ケース部材３２と幅方向内側から接続されている。そのため、ねじ４６を取り外すことで固定部材２５を第２ケース部材３２（ヒータユニット２３）から取り外すことができるようになっている。これにより、固定部材２５を取り外すことで揉み玉２４が取り外し可能となるため、揉み玉２４を容易に交換することができるようになっている。
【００３７】
次に、本実施形態の特徴的な作用効果を記載する。
（１）施療子２１には、マッサージ機構２０のアーム２２と接続されるとともにＰＴＣヒータ３０を収容して使用者にＰＴＣヒータ３０からの熱を伝達可能な第１及び第２ケース部材３１，３２と、この第２ケース部材３２に設けられる揉み玉２４とが備えられる。第１ケース部材３１は、アーム２２に対して着脱可能に設けられるため、ＰＴＣヒータ３０を収容する第１及び第２ケース部材３１，３２や揉み玉２４を容易に交換することができ、メンテナンス性の向上を図ることができる。
【００３８】
（２）揉み玉２４が第２ケース部材３２に対して着脱可能に設けられるため、揉み玉２４のみの交換が可能とならよりメンテナンス性の向上を図ることができる。
（３）施療子２１は、背もたれ部１３の幅方向に一対並設される。揉み玉２４は第２ケース部材３２に対して着脱自在な固定部材２５にて背もたれ部１３の幅方向内側から接続され、その固定部材２５は第２ケース部材３２からの熱を使用者に伝達可能に構成される。このように、揉み玉２４を幅方向内側から第２ケース部材３２に対して着脱自在に接続する固定部材２５にて、第２ケース部材３２からの熱を使用者に対して伝達することで、使用者の身体のより広い範囲に熱を伝達することが可能となる。ここで、一対の揉み玉２４にて使用者の首等を挟むようにしてマッサージを行う場合には、揉み玉の幅方向内側部の部位で挟むこととなる。このため、使用者の首のマッサージと同時に幅方向内側に設けられる固定部材２５にて、使用者の首に対しても熱を伝達させることができる。また、揉み玉２４よりも幅方向外側にＰＴＣヒータ３０を収容する第１及び第２ケース部材３１，３２を設けることで、使用者の首等の身体を揉み玉にて挟むようなマッサージを行う場合に、その固定部材２５と比較して大きな第２ケース部材３２が使用者の身体にカバー部１３ｂを介して当接して揉み玉２４以外の違和感を与えるといったことが抑えられる。
【００３９】
（４）固定部材２５が揉み玉２４の外径よりも小さく構成されることで、使用者の首等を挟むようにしてマッサージを行う場合に、固定部材２５がその部位に当たることを極力抑え、揉み玉２４によるマッサージ効果を維持することが可能となる。
【００４０】
（５）固定部材２５は、揉み玉２４よりも幅方向内側に突出するように構成されるため、幅方向に設けられる一対の揉み玉２４により、使用者の首等を挟んでマッサージをする際に、固定部材２５により使用者に熱を伝達することができる。
【００４１】
（６）第２ケース部材３２は、使用者との対向部位である当接部３２ｄが使用者側に凸となる湾曲形状となるよう構成されるため、使用者の身体に対して違和感を与えることが抑えられる。また、例えばマッサージ機構２０と使用者の身体との間に設けられるカバー部１３ｂと、第２ケース部材３２の当接部３２ｄが摺接する際に、その摩擦力を抑えることができる。
【００４２】
（７）電力供給線３５，３８がコネクタ３７にて中継されるため、コネクタ３７を中心として電力供給線３５，３８を２種類の部材で構成することができる。そのため、ＰＴＣヒータ３０側に近い電力供給線３５をアーム２２に固定させることでアーム２２や揉み玉２４を動作させてもその電力供給線３５が屈曲することが抑えられるため、比較的安価な電線を用いることができる。また、例えば、コネクタ３７を中心としてＰＴＣヒータ３０側に近い電力供給線３５のみが断線した場合には、その電力供給線３５を交換するだけでよく、コネクタ３７を中心としてＰＴＣヒータ３０側から遠い電力供給線３８のみが断線した場合には、その電力供給線３８を交換するだけでよいため、この点からもメンテナンス性の向上を図ることができる。
【００４３】
（８）本実施形態の揉み玉２４は１つの弾性部材にて構成されているため、従来のように半球状の弾性部材を２つ使用した分割タイプの揉み玉と比較して、その剛性を高めることができる。
【００４４】
（９）本実施形態の揉み玉２４は、断熱性を有する材料にて構成される軸受２４ａ，２４ｂにて回転可能に軸支されているため、エラストマ等の弾性部材で構成される揉み玉２４への熱の伝達が抑制され、熱による劣化の促進を抑えることができる。
【００４５】
尚、本発明の実施形態は、以下のように変更してもよい。
・上記実施形態では、特に言及していないが、例えば、図７（ａ）（ｂ）及び図８（ａ）（ｂ）に示すように、ヒータユニット２３に対し、風を送る送風機６０を設ける構成を採用してもよい。この場合、例えば上限温度Ｔ１となった際に、送風機６０からヒータユニット２３に対し風を送ることで、ヒータユニット２３の温度を下げることができる。
【００４６】
・上記実施形態では、熱源としてのＰＴＣヒータ２３に電力を供給する電力供給線３５，３８をコネクタ３７にて中継して制御部４０とＰＴＣヒータ３０とが電気的に接続されるように構成したが、これに限らず、例えばコネクタ３７を省略するとともに１種類の電力供給線にて制御部４０とＰＴＣヒータ３０とが電気的に接続されるように構成してもよい。
【００４７】
・上記実施形態では、固定部材２５を熱伝導効率の高い材質であるアルミニウムを用いて構成したが、その他の材質を用いてもよく、断熱性を有する材質であってもよい。
・上記実施形態では、固定部材２５の外径は揉み玉２４の外径よりも小さくなるよう構成したが、これに限らない。
【００４８】
・上記実施形態では、固定部材２５は、揉み玉２４より幅方向内側に突出するように構成したが、これに限らない。
・上記実施形態では、ＰＴＣヒータ３０を収容する熱伝達手段としての第１ケース部材３１及び第２ケース部材３２を揉み玉２４の幅方向外側に配置したが、熱伝達手段をとしての第１ケース部材３１及び第２ケース部材３２を揉み玉２４の幅方向内側に配置する構成を採用してもよい。尚、この場合、固定部材２５は揉み玉２４よりも幅方向外側に配置することとなる。
【００４９】
・上記実施形態では、第１ケース部材３１及び第２ケース部材３２の材料としてアルミニウムを採用したが、その他の材料にて各ケース部材３１，３２を採用してもよい。尚、幅方向内側に配設される第２ケース部材３２の材料を第１ケース部材３１の材料よりも熱伝導率の高い材料を使用することでヒータ３０の熱を第２ケース部材３２側に効率よく伝達することができる。
【００５０】
・上記実施形態では、固定部材２５を揉み玉２４より背もたれ部１３の幅方向内側に突出する構成としたが、これに限らない。
・上記実施形態では、特に言及していないが、延出部３２ｆと円筒部２５ａとを嵌合させる際にその寸法精度が高くして密着性を高め、固定部材２５側への熱電動効率を高くすることができる。また、延出部３２ｆと円筒部２５ａとの間に一定の間隙（空気層）を設け、その間隙を埋める熱伝導グリス等の熱伝達部材を介在させる構成を採用してもよい。
【００５１】
・上記実施形態では、ヒータユニット２３の熱源としてＰＴＣヒータ３０を用いた構成を採用したが、これ以外の熱源を採用してもよい。
・上記実施形態では、揉み玉２４を軸受２４ａ，２４ｂにて円筒部２５ａを中心に回転可能に構成したが、回転不能に構成してもよい。
【００５２】
・上記実施形態では、特に言及していないが、カバー部１３ｂと摺接する揉み玉２４の摺接面にグリス等の潤滑剤を塗布する構成を採用してもよい。このような構成とすることで、揉み玉２４とカバー部１３ｂとの摩擦を抑えることができ、揉み玉２４及びカバー部１３ｂの耐久性能を向上させることが可能となる。
【００５３】
・上記実施形態では、特に言及していないが、オットマン１４や座部１２上面にエアバッグ等のマッサージ手段を設けてもよい。
・上記実施形態では、背もたれ部１３を傾動可能に構成したが、背もたれ部１３を傾動不能とした構成を採用してもよい。
【００５４】
・上記実施形態では、座部１２の前部にオットマン１４を設ける構成としたが、オットマン１４を省略した構成を採用してもよい。
【符号の説明】
【００５５】
１０…マッサージ機、１２…座部、１３…背もたれ部、２０…マッサージ機構、２１…施療子、２２…アーム、２４…揉み玉、２５…固定部材、２５ａ…円筒部（延出軸及び延出部）、３０…ＰＴＣヒータ（熱源）、３１…第１ケース部材（熱伝達手段）、３２…第２ケース部材（熱伝達手段）、３２ｄ…当接部（対向部位）、３２ｆ…延出部、３５，３８…電力供給線、３７…コネクタ。
【図１】
2011062449.tif 000003
【図２】
2011062449.tif 000004
【図３】
2011062449.tif 000005
【図４】
2011062449.tif 000006
【図５】
2011062449.tif 000007
【図６】
2011062449.tif 000008
【図７】
2011062449.tif 000009
【図８】
2011062449.tif 000010